(57)【要約】      （修正有）【課題】前ポケットの開口部を大きく開くことができ、開口部を開閉するために使用するスライドファスナーの短尺化を図り、スライドファスナーの縫着作業の簡略化と開閉のための操作性に優れた前ポケット付のランドセルを提供する。【解決手段】ランドセル本体１２の前面に設けた前ポケット１６を、上縁が開口部となり、両側に開口部の開口幅を広くするためのマチ部１８、１８を設けて形成し、前記開口部を開閉するためのスライドファスナー２０を開口部の全長よりも長い長さに設定し、このスライドファスナー２０を一方端部が開口部の一方端部に一致する状態で取り付け、その他端側を開口部の他方端部から外部に延びる遊離部２４とし、この遊離部２４を下向きに折り曲げてランドセル本体１２に係止具で止めるようにする。【選択図】図１
0003139165.tif 000002
【実用新案登録請求の範囲】
【請求項１】
ランドセル本体の前面に前ポケットを設けたランドセルにおいて、
前記前ポケットを、上縁が開口部となり、両側に開口部の開口幅を広くするためのマチ部を設けて形成し、この前ポケットの開口部を開閉するためのスライドファスナーを前記開口部の全長よりも長い長さに設定し、前記スライドファスナーを一方端部が開口部の一方端部に一致する状態で前ポケットの開口部に取り付け、前記スライドファスナーの他端側を開口部の他方端部から外部に延びる遊離部とし、この遊離部の端部とランドセル本体の側面に一対の係止具を設けたことを特徴とするランドセル。
【請求項２】
上記スライドファスナーは、一対のファスナー帯とスライダーで形成され、一方の端部が開放端で他端が閉鎖端となり、上記遊離部が開口部を最大に開くのに閉鎖端が支障を与えない程度の長さに設定され、この遊離部の端部に位置する把持片とランドセル本体の側面で開口部よりも下方の位置に一対の係止具を設けたことを特徴とする請求項１に記載のランドセル。
【請求項３】
上記一対の係止具が、マグネット部材と、このマグネット部材に対して着脱可能とする被吸着部材とで形成されていることを特徴とする請求項１又は２に記載のランドセル。
【考案の詳細な説明】
【技術分野】
【０００１】
この考案は、ランドセル本体の前面に、各種小物類を収納するための前ポケットを設けたランドセルに関する。
【背景技術】
【０００２】
図３のように、一般的なランドセル１は、ランドセル本体２の前板３の前面に、各種小物類を収納するための前ポケット４を設けた構造になっている。
【０００３】
従来の一般的な前ポケットは、上縁の開口部をこの開口部の全長にわたって設けたスライドファスナーで開閉する構造になっており、このような構造では、開口部を大きく開くことができないので、各種小物類の出し入れが行いにくいと共に、収納した各種小物類を確認しにくいという不便がある。
【０００４】
上記のような不便を解消するため、図３で示したように、上縁と両側が開口部となる前ポケット４の両側にマチ部５を設け、この前ポケット４の両側と上縁開口部をスライドファスナー６で連続して開閉できるようにした構造が提案されている（例えば、特許文献１参照）。
【特許文献１】実用新案登録第３１２３１８２号公報
【考案の開示】
【考案が解決しようとする課題】
【０００５】
ところで、両側にマチ部５を設けた前ポケット４の両側と上縁開口部をスライドファスナー６で連続して開閉できるようにすると、開放時に両側マチ部５の効果で開口部を大きく開くことができ、各種小物類の出し入れや確認が容易になるが、スライドファスナー６を前ポケット４の両側と上縁開口部の三辺に沿って設けなければならないので、使用するスライドファスナー６の長さが長くなり、材料費のアップにつながると共に、前ポケット４に対するスライドファスナー６の縫着距離も長くなり、しかも、スライドファスナー６に曲がり部分が生じるので、立体的な縫着に手間がかかるという問題がある。
【０００６】
また、前ポケット４の開閉において、一つのスライダー６ａでスライドファスナー６を開閉するものは、スライダー６ａの移動距離が長くなり、また、図示省略したが二つのスライダーで開閉するものは、二回の操作を行わなければならないという不便がある。
【０００７】
そこで、この考案の課題は、前ポケットの上縁開口部を開閉するために使用するスライドファスナーの短尺化を図りながら、開口部を大きく開くことができ、スライドファスナーの縫着作業を直線にして簡略化できるだけでなく、前ポケット開閉のための操作性に優れた前ポケット付のランドセルを提供することにある。
【課題を解決するための手段】
【０００８】
上記の課題を解決するため、この考案は、ランドセル本体の前面に前ポケットを設けたランドセルにおいて、前記前ポケットを、上縁が開口部となり、両側に開口部の開口幅を広くするためのマチ部を設けて形成し、この前ポケットの開口部を開閉するためのスライドファスナーを前記開口部の全長よりも長い長さに設定し、前記スライドファスナーを一方端部が開口部の一方端部に一致する状態で前ポケットの開口部に取り付け、前記スライドファスナーの他端側を開口部の他方端部から外部に延びる遊離部とし、この遊離部の端部とランドセル本体の側面下部に一対の係止具を設けた構成を採用したものである。
【０００９】
上記スライドファスナーは、一対のファスナー帯とスライダーで形成され、一方の端部が開放端で他端が閉鎖端となり、上記遊離部が開口部を最大に開くのに閉鎖端が支障を与えない程度の長さに設定され、この遊離部の端部に位置する把持片とランドセル本体の側面で開口部よりも下方の位置に一対の係止具を設けた構造とすることができる。
【００１０】
また、上記一対の係止具が、マグネット部材と、このマグネット部材に対して着脱可能とする被吸着部材とで形成されているようにしてもよい。
【００１１】
ここで、上記前ポケットは、ランドセル本体の前板における前面に設けられ、内側に二つ折り可能となるよう設けた両側のマチ部によって上縁の開口部を大きく開くことができるようになっている。
【００１２】
上記スライドファスナーの外部に延びる遊離部は、上縁の開口部を最大に開くのに支障がない程度の長さに設定され、開口部を閉じたときにこの遊離部を前ポケットの側面に沿って折り曲げ、被吸着部材をマグネット部材に吸着させれば、遊離部は前ポケットの外部にはみ出すことのないように収納できる。
【考案の効果】
【００１３】
この考案によると、両側にマチ部を設けた前ポケットの上縁開口部を開閉するためのスライドファスナーを前記開口部の全長よりも長い長さに設定し、このスライドファスナーを前ポケットの開口部に取り付け、前記スライドファスナーの他端側を開口部の他方端部から外部に延びる遊離部としたので、スライドファスナーは開口部の全長に遊離部を加えた長さでよく、使用するスライドファスナーの短尺化を図ることで材料費の削減が可能になり、この遊離部を設けることで前ポケットの開口部を大きく開くことができることになる。
【００１４】
また、スライドファスナーの短尺化により、開口部を開閉する時のスライダーの移動距離が短くなり、開閉のための操作性が向上する。
【００１５】
更に、スライドファスナーは、前ポケットの開口部に直線状態で縫着できるので縫着作業が容易になると共に、開口部を閉じたときにこの遊離部を前ポケットの側面に沿って折り曲げ、被吸着部材をマグネット部材に吸着させれば、遊離部を外部にはみ出さないように収納することができ、見た目の向上が図れる。
【考案を実施するための最良の形態】
【００１６】
以下、この考案の実施の形態を図示例に基づいて説明する。
【００１７】
図１と図２のように、ランドセル１１は、収納部となるランドセル本体１２に背負い帯１３や被せ蓋１４を設けた周知の構造を有し、前記ランドセル本体１２における前板１５の前面に前ポケット１６が設けられている。
【００１８】
上記前ポケット１６は、矩形状となるポケット生地１７の下縁を前板１５の下部に縫着し、ポケット生地１７の両側に、内側へ二つ折り可能となる略三角形のマチ部１８、１８を配置し、このマチ部１８、１８の一方側縁をポケット生地１７の側縁に縫着し、他方側縁を前板１５に縫着して形成され、前ポケット１６は、その直線状となる上縁が開口部１９となり、両側のマチ部１８、１８によって開口部１９を大きく開口させることができるようになっていると共に、この開口部１９は、スライドファスナー２０で開閉するようになっている。
【００１９】
上記スライドファスナー２０は、一対のファスナー帯２１、２１とスライダー２２で形成され、開口部１９の全長よりも少し長い長さに設定したものを用い、一対のファスナー帯２１、２１は、一方の端部が開放端となり、他方端部は把持片２３で結合されて閉鎖端になっている。
【００２０】
このようなスライドファスナー２０を一方端部が開口部１９の一方端部に一致する状態で、一方のファスナー帯２１をポケット生地１７の上縁に縫着し、他方のファスナー帯２１を前板１５に対してポケット生地１７の幅に対応する部分を縫着し、このスライドファスナー２０の他端側を開口部１９の他方端部から前ポケット１６の外部に延びる遊離部２４としている。
【００２１】
上記スライドファスナー２０の遊離部２４は、開口部１９を最大に開くのに閉鎖端が支障を与えない程度の長さに設定され、この遊離部２４の端部に位置する把持片２３とランドセル本体１２の側面で開口部１９よりも下方の位置に、着脱自在となる一対の係止具２５を設け、スライドファスナー２０が開口部１９を閉じた状態で、この遊離部２４を前ポケット１６の側面に沿って下方に折り曲げ、係止具２５を係合させれば、遊離部２４は前ポケット１６の外部にはみ出すことのないように収納できるようになっている。
【００２２】
この係止具２５は、繰り返し係脱できるものであれば構造は限定されないが、図示の場合、ランドセル本体１２の側面に固定され、中央孔の底部にマグネットを設けた円板状のマグネット部材２５ａと、遊離部２４の把持片２３に取付けられ、前記中央孔に嵌合する突軸を有し、マグネット部材２５ａに対して着脱可能とする金属製の被吸着部材２５ｂとで形成した例を示している。
【００２３】
この考案のランドセル１１は、上記のような構成であり、図２（ａ）のように、スライドファスナー２０で前ポケット１６の開口部１９を閉じた状態では、スライダー２２が一方端部側に位置してファスナー帯２１、２１が結合され、図１（ｂ）のように、その遊離部２４は、前ポケット１６の側面からランドセル本体１２の側面に沿って下向きに折り曲げ、被吸着部材２５ｂをマグネット部材２５ａに吸着させることにより、前ポケット１６の外部にはみ出さないように収納されている。
【００２４】
上記前ポケット１６の開口部１９を開く場合は、遊離部２４の把持片２３を指先で引っ張って被吸着部材２５ｂをマグネット部材２５ａから外した状態で、スライダー２２を開方向へ遊離部２４の閉鎖端部にまで移動させる。
【００２５】
これによって、図２（ｂ）のように、スライドファスナー２０はファスナー帯２１、２１が切離され、前ポケット１６の開口部１９を開くと、ファスナー帯２１、２１は遊離部２４の部分も一緒に開くことで開口部１９を大きく開くことができ、各種小物類の出し入れや確認が円滑に行えることになる。
【００２６】
また、前ポケット１６の開口部１９を閉じる場合は、遊離部２４に位置するスライダー２２をスライドファスナー２０の一方端部側に向けて閉じる方向に移動させ、両ファスナー帯２１、２１を結合した後、その遊離部２４を前ポケット１６の側面に沿って折り曲げ、把持片２３の被吸着部材２５ｂをマグネット部材２５ａに吸着させればよく、遊離部２４は前ポケット１６の側面に沿って納まるので、外部にはみ出さない状態になり、図１（ａ）のように、見た目の向上が図れることになる。
【図面の簡単な説明】
【００２７】
【図１】（ａ）はこの考案に係るランドセルの被せ蓋を閉じた状態を示す斜視図、（ｂ）は同じく被せ蓋を開いた状態を示す斜視図
【図２】（ａ）この考案に係るランドセルの前ポケットを示す閉じた状態の斜視図、（ｂ）は同じく前ポケットの開いた状態を示す斜視図
【図３】従来の前ポケットを備えたランドセルの斜視図
【符号の説明】
【００２８】
１１        ランドセル
１２        ランドセル本体
１３        背負い帯
１４        被せ蓋
１５        前板
１６        前ポケット
１７        ポケット生地
１８        マチ部
１９        開口部
２０      スライドファスナー
２１      ファスナー帯
２２      スライダー
２３      把持片
２４      遊離部
２５      係止具
２５ａ    マグネット部材
２５ｂ    被吸着部材
【図１】
0003139165.tif 000003
【図２】
0003139165.tif 000004
【図３】
0003139165.tif 000005